(57)【特許請求の範囲】
【請求項１】
グリップスリーブに内装された印鑑スリーブに、端面を印面とされた棒状印鑑が挿脱自在に内装されており、グリップスリーブの圧下により、印鑑スリーブが押捺位置に進出して捺印が行われ、グリップスリーブの圧下を解くことにより印鑑スリーブが待機位置に後退する印鑑ホルダーにおいて
印鑑スリーブ内に配設され、印鑑スリーブの下端側から挿入される棒状印鑑を外周面から押圧保持するカツラと称される押えバネたる板バネが印鑑スリーブの長さ方向に走る複数の切抜スリットにより、該長さ方向に散在する複数の大径部と複数の小径部とに絞縮成形されており、該板バネの下端縁が、印鑑スリーブの下端縁に形成された内向きの膨出縁で掩蔽されている繰り返し捺印できる印鑑ホルダー。
【請求項２】
押えバネたる板バネの上下端辺の少なくとも何れか一方から外側方へ突出させられた少なくとも１個の突片が印鑑スリーブの対応部位に開設された穴部に係止されている請求項１記載の繰り返し捺印できる印鑑ホルダー。
【請求項３】
押えバネたる板バネが、マルテンサイト系、析出硬化系のステンレス材に代表される焼入れ硬化可能なステンレス鋼板に、焼入れ、焼戻し処理が施されたステンレス鋼板製である請求項１または請求項２に記載の繰り返し捺印できる印鑑ホルダー。
【発明の詳細な説明】
【０００１】
【発明の属する技術分野】
本発明は、端面を印面とされた棒状印鑑が、グリップスリーブに内装された印鑑スリーブに挿脱自在に内装されており、グリップスリーブを手指で把持し、捺印部分に圧下すると、朱肉壷が印面から離間し、印鑑スリーブが下動して捺印が行われ、グリップスリーブを捺印部分から離間させて圧下を解くと、印鑑スリーブがバネ弾性で待機位置に戻り、朱肉壷が印面に当接して次の捺印に備える印鑑ホルダーの改良に関する。
【０００２】
【従来の技術】
この種の印鑑ホルダーとしては、特開平９−３１４９７７号公報に開示されているごとく、印鑑スリーブたる印鑑保持体６内に棒状印鑑２４が挿脱自在に内装され、カツラと称される押えバネたる板バネ２２で保持されているが、押えバネたる板バネ２２の下端面は、印鑑スリーブたる印鑑保持体６の内面に露出されている。このため棒状印鑑２４を大径の印鑑に代えて前記印鑑保持体６内へ挿入すると、大径の棒状印鑑の外周面が押えバネたる板バネ２２の下端面に摺接し、該外周面が削られ疵つくことがある。
【０００３】
また印鑑スリーブたる印鑑保持体６内の押えバネたる板バネ２２の位置保持が、印鑑保持体６の内周面と該板バネ２２との摩擦接触抵抗のみであるため、棒状印鑑２４の挿脱の繰り返しにより、該板バネ２２が上下方向に位置ずれを生じたり、棒状印鑑２４の挿入時に周方向に回動し、印面２５が正規方向からずれる等の問題を有している。
【０００４】
更には、押えバネたる板バネとして、汎用されているステンレス鋼板が採用されているため、木質のごとく、朱肉の油分が浸潤しやすい材質の印鑑が長期間挿入されていると、印鑑の外周面と当接している押えバネたる板バネの部分が発錆し、印鑑の挿脱の際に該バネが折損する可能性もある。
【０００５】
また大径の印鑑を長期間挿入しておくと、押えバネたる板バネ２２にへたりが発生し、細径の印鑑を係止できなくなる等の問題も生ずる。
【０００６】
【発明が解決しようとする課題】
前述のごとく、従来の印鑑ホルダーが有する諸問題に鑑み、本発明は、棒状印鑑の挿脱時に、カツラと称される押えバネたる板バネの下端面で印材外周面が削られ、疵つくのを防止でき、棒状印鑑の挿脱が繰り返されても、押えバネたる板バネの位置ずれによる捺印時の棒状印鑑のぶれを生ずることがなく、また長期間棒状印鑑を挿入したままとしておいても押えバネたる板バネの発錆、折損あるいはへたり等を生ずることのない印鑑ホルダーを提供することを課題としている。
【０００７】
【課題を解決するための手段】
前記課題を解決するため、請求項１の発明では、グリップスリーブに内装された印鑑スリーブに、端面を印面とされた棒状印鑑が挿脱自在に内装されており、グリップスリーブの圧下により、印鑑スリーブが押捺位置に進出して捺印が行われ、グリップスリーブの圧下を解くことにより印鑑スリーブが待機位置に後退する印鑑ホルダーにおいて、印鑑スリーブ内に配設され、棒状印鑑を外周面から押圧保持するカツラと称される押え板バネたる板バネ材が印鑑スリーブの長さ方向に走る複数の切抜スリットにより、該長さ方向に散在する複数の大径部と複数の小径部とに絞縮成形されており、該板バネの少なくとも下端縁が、印鑑スリーブの下端縁に形成された内向き膨出縁で掩蔽されているという構成とした。
【０００８】
請求項２の発明では、請求項１の発明に、押えバネたる板バネの上下端辺の少なくとも何れか一方から外側方へ突出させられた少なくとも１個の突片が、印鑑スリーブに開設された穴部に係止されているという構成を付加した。
【０００９】
請求項３の発明では、請求項１または請求項２の発明に、押えバネたる板バネが、マルテンサイト系、析出硬化系のステンレス材に代表される焼入れ硬化可能なステンレス鋼板に、焼入れ、焼戻し処理が施されたステンレス鋼板製であるという構成を付加した。
【００１０】
【発明の実施の形態】
図１は、請求項１、請求項２及び請求項３の各発明を併せ適用した実施の一例たる印鑑ホルダー１の縦断正面図であって、端面を印面２とされた棒状印鑑３は、印鑑スリーブ４内に内装されており、印鑑スリーブ４は、グリップスリーブ５と基台スリーブ６とに内装されており、基台スリーブ６の上端部のバネ受座７とグリップスリーブ５の上端のバネ受座８との間に、コイルスプリング９を介装されている。
【００１１】
グリップスリーブ５と基台スリーブ６とには、朱肉壷１０を支持する回動枠１１が組み付けられ、カム軸１２とカム溝１３、１４とにより、グリップスリーブ５が矢印Ａ方向に圧下されたとき、朱肉壷１０が印面２から離間し、捺印の邪魔とならない位置に回動される。
【００１２】
グリップスリーブ５を手指で把持し、矢印Ａ方向に圧下すると、コイルスプリング９を圧縮させながら印鑑スリーブ４が下動され、基台スリーブ６の開口部１５に臨ませられた押印個所に印面２による押印が行われる。グリップスリーブ５の圧下を解くと、コイルスプリング９の反発弾性で各部材は図１に示す状態に復帰する。これ等の基本構造と各部作動は公知の印鑑ホルダーと概ね同構造、同一作動となるので、その詳細な説明は省略する。
【００１３】
前記印鑑スリーブ４内へ挿入された棒状印鑑３は、図２及び図３に示されるカツラと称される押えバネたる板バネ１６で外周面から押圧され、印面２が朱肉面に軽く接する位置に保持されている。
【００１４】
前記押えバネたる板バネ１６は、図４に示されるごとく、薄いステンレス材たる矩形板１７に、印鑑スリーブ４の長さ方向に走る複数の切抜きスリット１８を形成し、上下端縁１９、２０と切抜きスリット１８群の間の連結板２１、２２とが連結された形状としたものを半円筒面形状に成形し、更に複数の大径部２３と複数の小径部２４とが長さＬ方向に散在するように成形した形状とされている。
【００１５】
前記大径部２３は、半円筒面形状のものを縮径させて印鑑スリーブ４内へ挿入したとき、その外面で印鑑スリーブ４の内周面に弾接し、その状態で小径部２４の内面で棒状印鑑３の外面に弾接する直径の半円筒面形状とされている。
【００１６】
請求項１及び請求項２の発明では、押えバネたる板バネ１６は、ＪＩＳ規格のステンレス材製の矩形板１７で成形されるが、後述されるように、請求項３の発明に係るステンレス材を用いることが好ましい。
【００１７】
前記押えバネたる板バネ１６は、図示例では下端縁２０に外側方へ突出した１個の突片２５が形成されており、該突片２５は、押えバネたる板バネ１６が印鑑スリーブ４内の正規位置に挿入されたとき、該突片２５に対応する位置の印鑑スリーブ４の周壁に開設された穴部２６内に挿入され、押えバネたる板バネ１６が印鑑スリーブ４内で変位しないように係止している。前記突片２５と穴部２６との形成位置は、押えバネたる板バネ１６が係止される限り、図示位置、図示構造に限定されるものではない。なお、図１では、押えバネたる板バネ１６の下端縁２０の中央に形成されている突片２５が、縦断正面図である図１において左側に位置させられているので押えバネたる板バネ１６の側縁は、図１において点線で示す位置において、棒状印鑑３により掩蔽されている。
【００１８】
前記印鑑スリーブ４の下端縁は、全周にわたる内向きの膨出縁２７とされており、前記押えバネたる板バネ１６が印鑑スリーブ４内へ挿入されたとき、該板バネ１６の下端縁２０を下方から掩蔽し、棒状印鑑３を、印鑑スリーブ４内の押えバネたる板バネ１６の内腔へ挿入する際、該印鑑３の周面が、板バネ１６の下端縁２０と接触するのを防止している。
【００１９】
前記押えバネたる板バネ１６としては、請求項３の発明に係るマルテンサイト系、析出硬化系のステンレス板に代表される焼入れ硬化可能なステンレス鋼板に、焼入れ、焼戻し処理を施し、引張強さ、硬さ等を向上させた板バネ１６が使用されているが、請求項１または請求項２の発明のみの実施の場合にはマルテンサイト系や析出硬化系以外の、汎用されているステンレス鋼板製の押えバネたる板バネ１６であってもよい。
【００２０】
【発明の効果】
請求項１の発明によると、印鑑ホルダーの印鑑スリーブ内へ棒状印鑑を挿入する際、押えバネたる板バネの下端縁が印鑑スリーブの下端縁に形成された内向きの膨出縁で掩蔽されているため、該下端縁が棒状印鑑の外周面に摺接し、疵つけることを良好に防止できる効果を奏する。
【００２１】
請求項２の発明によると、押えバネたる板バネの上下端辺の少なくとも何れか一方から外側方へ突出させられた少なくとも１個の突片が、印鑑スリーブの対応部位に開設された穴部に係止されているので、該板バネの印鑑スリーブに対する位置が一定に規制され、棒状印鑑の印面を正しい位置に定めて印鑑スリーブ内へ挿入すれば、該印面が印鑑スリーブの周方向へ回動したり、或は、該スリーブの軸方向に移動したりすることが無く、常に正しい位置に保持される効果を奏する。
【００２２】
請求項３の発明によると、押えバネたる板バネが、焼入れ、焼戻し処理により、高い強靭性を発現でき、また高い耐食性も具備できるので、太い軸径の棒状印鑑を長い期間にわたって印鑑スリーブ内に嵌挿したままとしても、押えバネたる板バネにへたりが発生せず、細い軸径の棒状印鑑への差し変えが直ちに可能となり、また発錆による該板バネの折損等も発生させない等の効果を奏しうる。
【図面の簡単な説明】
【図１】印鑑ホルダーの一例の拡大縦断正面図である。
【図２】押えバネたる板バネの側面図である。
【図３】押えバネたる板バネの端面図である。
【図４】押えバネたる板バネの展開正面図である。
【符号の説明】
１  印鑑ホルダー
２  印面
３  棒状印鑑
４  印鑑スリーブ
６  基台スリーブ
１６  押えバネたる板バネ
１８  切抜きスリット
１９  上端辺
２０  下端辺
２３  大径部
２４  小径部
Ｌ  長さ方向
２５  突片
２６  穴部
２７  膨出縁
【図１】
0003850307.tif 000002
【図２】
0003850307.tif 000003
【図３】
0003850307.tif 000004
【図４】
0003850307.tif 000005